(57)【要約】【課題】原稿に対する加熱処理が開始可能となるまでの待機時間を有効に利用することができる画像読取装置を提供する。【解決手段】加熱されると無色化する塗料を用いて描画された原稿を加熱して描画部分を消去する消去モードが選択され（Ｓ１０１；Ｙｅｓ）、加熱器が加熱処理を実行できる所定温度でない場合には（Ｓ１０３；Ｎｏ）、加熱器の昇温を開始する（Ｓ１０４）。この加熱器が所定温度に達するまでの間に、読み取りジョブの割り込み指示を受け付けた場合には（Ｓ１０５；Ｙｅｓ）、加熱器の昇温を継続しつつその割り込みジョブを実行する（Ｓ１０６）。【選択図】図７
2010141674.tif 000002
【特許請求の範囲】
【請求項１】
原稿を光学的に読み取って画像情報を取得するための読取部と、
加熱されると無色化する塗料を用いて描画された描画部分を無色化させる所定温度で前記原稿を加熱するための加熱器と、
操作部と、
前記加熱器が前記加熱を行う加熱処理の開始指示を前記操作部を通じて受け付け、前記加熱処理を実行するために前記加熱器を昇温して該加熱器が前記所定温度に達するまでの間に、前記読取部が前記読み取りを行う読み取りジョブの割り込み指示を前記操作部を通じて受け付けた場合に、前記加熱器の昇温を継続しつつ前記読み取りジョブを実行する制御部と、
を備える
ことを特徴とする画像読取装置。
【請求項２】
報知部を備え、
前記制御部は、前記加熱器が前記所定温度に達すると前記加熱処理が実行可能であることを前記報知部を通じて報知する
ことを特徴とする請求項１に記載の画像読取装置。
【請求項３】
前記制御部は、前記読み取りジョブの実行中に前記加熱器が前記所定温度に達すると前記読み取りジョブの実行を中断すると共に前記報知部を通じて更に前記読み取りジョブの原稿と前記加熱処理を行う原稿との入れ替えを要求する報知を行い、前記操作部を通じて前記加熱処理の実行指示を受け付けると前記加熱処理を実行する
ことを特徴とする請求項２に記載の画像読取装置。
【請求項４】
前記制御部は、前記読み取りジョブの実行中に前記加熱器が前記所定温度に達すると前記報知を行うと共に前記読み取りジョブの実行を継続し、前記読み取りジョブの中断指示を受け付けると前記読み取りジョブの実行を中断すると共に前記報知部を通じて前記読み取りジョブの原稿と前記加熱処理を行う原稿との入れ替えを要求する報知を行い、前記操作部を通じて前記加熱処理の実行指示を受け付けると前記加熱処理を実行する
ことを特徴とする請求項２に記載の画像読取装置。
【請求項５】
前記制御部は、前記加熱処理を実行完了して前記中断した前記読み取りジョブの再開指示を前記操作部を通じて受け付けると前記読み取りジョブを継続再開する
ことを特徴とする請求項３または４に記載の画像読取装置。
【請求項６】
前記読取部により取得された画像情報が記憶される記憶部を備え、
前記制御部は、前記読み取りジョブの実行開始から実行中断までに前記読取部により取得されて前記記憶部に記憶された画像情報と、前記読み取りジョブの継続再開から実行終了までに前記読取部により取得されて前記記憶部に記憶された画像情報とを、前記記憶部内で結合して前記読み取りジョブにおける１つの画像情報に形成する
ことを特徴とする請求項５に記載の画像読取装置。
【請求項７】
給紙部にセットされた原稿を前記読取部が前記読み取りを行う読取位置および前記加熱器が前記加熱を行う加熱位置を通る搬送経路を通じて搬送し排紙部へ排出する自動原稿搬送装置を備える
ことを特徴とする請求項１乃至６のいずれか１つに記載の画像読取装置。
【発明の詳細な説明】
【技術分野】
【０００１】
本発明は、原稿を光学的に読み取る画像読取装置に係り、特に、加熱されると無色化する塗料で描画された原稿の読み取りに適した画像読取装置に関する。
【背景技術】
【０００２】
描画された用紙の描画部分を消去して用紙の再利用を図るために、一定温度以上に加熱されると無色化するインクを用いて用紙に描画し、その描画済み用紙を一定温度以上に加熱することで描画部分を消去する技術は知られている。
【０００３】
たとえば、特許文献１には、インクジェットプリンタの用紙収納部（給紙機構）に収納された上記の描画済み用紙を、プリンタヘッドへの搬送経路の途中に設けた加熱器で加熱することにより用紙上の描画部分を消去し、その用紙上にプリンタヘッドで新たに描画することにより用紙を再利用する技術が開示されている。
【０００４】
【特許文献１】特開２００１−３０２９５４号公報
【発明の開示】
【発明が解決しようとする課題】
【０００５】
上記のような無色化可能なインクで描画された用紙を加熱して描画部分を消去する構成は、原稿を光学的に読み取る画像読取装置に適用することも可能であり、このような画像読取装置によって原稿用紙の再利用を図ることも可能である。
【０００６】
たとえば、画像読取装置に原稿を加熱するための加熱器を設け、セットされた原稿を読取部で読み取ってから加熱器で加熱し描画部分を消去するなどの構成が可能である。このような構成であれば、原稿用紙の再利用に加えて、画像読取装置に原稿を一度セットするだけで描画部分の読み取りおよび加熱消去が連続的に行えるようになり、利便性の向上や作業の効率化を図ることができる利点がある。さらに、原稿の読み取り後に加熱消去を行う動作と、原稿の読み取りおよび加熱消去を個別に行う（何れか一方のみを行う）動作とが切り替えられるように構成することも可能である。
【０００７】
しかしながら、上述した無色化可能なインクによる描画部分を無色化して消去するための加熱温度は６０℃以上や１００℃以上などと高温であるため、この加熱温度に加熱器を昇温するには時間を要する。これにより、ユーザが原稿の加熱処理（加熱消去処理）を行うために画像読取装置を操作すると加熱器の昇温が開始されるような場合には、加熱器が加熱温度に達するまでの間は待たされることになる。
【０００８】
このように、ユーザは画像読取装置で原稿に対する加熱処理のための操作を行っても処理が開始可能となるまでしばらく待たされることになるため、ユーザにとっては無駄な待機時間が発生することになる。
【０００９】
本発明は、上記の問題を解決しようとするものであり、原稿に対する加熱処理が開始可能となるまでの待機時間を有効に利用することができる画像読取装置を提供することを目的としている。
【課題を解決するための手段】
【００１０】
かかる目的を達成するための本発明の要旨とするところは、次の各項の発明に存する。
【００１１】
［１］原稿を光学的に読み取って画像情報を取得するための読取部と、
加熱されると無色化する塗料を用いて描画された描画部分を無色化させる所定温度で前記原稿を加熱するための加熱器と、
操作部と、
前記加熱器が前記加熱を行う加熱処理の開始指示を前記操作部を通じて受け付け、前記加熱処理を実行するために前記加熱器を昇温して該加熱器が前記所定温度に達するまでの間に、前記読取部が前記読み取りを行う読み取りジョブの割り込み指示を前記操作部を通じて受け付けた場合に、前記加熱器の昇温を継続しつつ前記読み取りジョブを実行する制御部と、
を備える
ことを特徴とする画像読取装置。
【００１２】
上記発明では、画像読取装置は読取部により原稿を光学的に読み取ることができる。加熱されると無色化する塗料を用いて描画された原稿に対しては、加熱器により所定温度で原稿を加熱して描画部分を無色化（消去）したり、読取部で原稿を読み取ってから加熱器で描画部分を加熱消去したりすることができる。また、原稿を加熱器で加熱する加熱処理（加熱消去処理）の開始指示を受け付け、加熱処理を実行するために加熱器を昇温して加熱器が所定温度に達するまでの間に、原稿を読取部で読み取る読み取りジョブの割り込み指示を受け付けた場合には、加熱器の昇温を継続しつつその割り込み指示を受け付けた読み取りジョブを実行する。
【００１３】
この画像読取装置では、加熱器を所定温度まで昇温して原稿に対する加熱処理が開始可能となるまでの間に、読み取りジョブを割り込ませて実行できるようになるため、その待機時間を有効に利用できるようになる。また、読み取りジョブの実行中も加熱器の昇温は継続されるため、待機時間が長引くことはない。これにより、読み取りジョブよりも先に開始指示を受け付けた加熱処理に及ぶ開始遅延などの影響も抑制できる。
【００１４】
［２］報知部を備え、
前記制御部は、前記加熱器が前記所定温度に達すると前記加熱処理が実行可能であることを前記報知部を通じて報知する
ことを特徴とする［１］に記載の画像読取装置。
【００１５】
上記発明では、画像読取装置は加熱器が所定温度に達すると、報知部を通じて加熱処理が実行可能であることを報知する。この報知部による報知は、たとえば、表示部による表示や音声出力部からの音声出力などによって行うことができる。ユーザは、画像読取装置から報知を受けて加熱処理が実行可能であることを把握でき、割り込みによる読み取りジョブが実行中であればそれを中断して加熱処理を実行するための準備、たとえば、読み取りジョブと加熱処理の原稿を入れ替えるための準備や加熱処理を実行するための次の操作内容の把握などを迅速かつ円滑に行うことができる。
【００１６】
［３］前記制御部は、前記読み取りジョブの実行中に前記加熱器が前記所定温度に達すると前記読み取りジョブの実行を中断すると共に前記報知部を通じて更に前記読み取りジョブの原稿と前記加熱処理を行う原稿との入れ替えを要求する報知を行い、前記操作部を通じて前記加熱処理の実行指示を受け付けると前記加熱処理を実行する
ことを特徴とする［２］に記載の画像読取装置。
【００１７】
上記発明では、画像読取装置は割り込みによる読み取りジョブの実行中に加熱器が所定温度に達するとその読み取りジョブの実行を中断する。この中断と共に、報知部を通じて［２］における加熱処理が実行可能であることの報知に加えて、読み取りジョブの原稿と加熱処理を行う原稿との入れ替えを要求する報知を行う。そして、加熱処理の実行指示を受け付けると加熱処理を実行する。
【００１８】
このように、加熱器が所定温度に達して加熱処理が開始可能になると、割り込みによる読み取りジョブの実行が自動的に中断されるため、加熱処理への切り替えが迅速に行えるようになる。またユーザは、読み取りジョブの原稿と加熱処理を行う原稿との入れ替えを要求する報知を受けて、次に行うべきその作業を迅速に把握して行動できるようになる。そして、原稿の入れ替え後に加熱処理の実行指示を行うことにより、加熱処理対象の原稿に対する加熱処理を実行できるようになる。
【００１９】
［４］前記制御部は、前記読み取りジョブの実行中に前記加熱器が前記所定温度に達すると前記報知を行うと共に前記読み取りジョブの実行を継続し、前記読み取りジョブの中断指示を受け付けると前記読み取りジョブの実行を中断すると共に前記報知部を通じて前記読み取りジョブの原稿と前記加熱処理を行う原稿との入れ替えを要求する報知を行い、前記操作部を通じて前記加熱処理の実行指示を受け付けると前記加熱処理を実行する
ことを特徴とする［２］に記載の画像読取装置。
【００２０】
上記発明では、画像読取装置は割り込みによる読み取りジョブの実行中に加熱器が所定温度に達すると、報知部を通じて［２］における加熱処理が実行可能であることの報知を行うと共に読み取りジョブの実行を継続する。その後、読み取りジョブの継続実行中に読み取りジョブの中断指示を受け付けると、読み取りジョブの実行を中断すると共に、報知部を通じて読み取りジョブの原稿と加熱処理を行う原稿との入れ替えを要求する報知を行う。そして、加熱処理の実行指示を受け付けると加熱処理を実行する。
【００２１】
このように、加熱器が所定温度に達して加熱処理が開始可能になっても、割り込みによる読み取りジョブは継続実行され、実行中断はユーザが手動操作で行えるようになる。すなわち、割り込みによる読み取りジョブの継続実行または実行中断はユーザが任意に選択できるようになる。
【００２２】
また、ユーザが読み取りジョブの中断指示を行った場合には、画像読取装置から読み取りジョブの原稿と加熱処理を行う原稿との入れ替えを要求する報知を受け、［３］と同様に次に行うべきその作業を迅速に把握して行動できるようになる。そして、原稿の入れ替え後に加熱処理の実行指示を行うことにより、加熱処理対象の原稿に対する加熱処理を実行できるようになる。
【００２３】
［５］前記制御部は、前記加熱処理を実行完了して前記中断した前記読み取りジョブの再開指示を前記操作部を通じて受け付けると前記読み取りジョブを継続再開する
ことを特徴とする［３］または［４］に記載の画像読取装置。
【００２４】
上記発明では、画像読取装置で加熱処理対象の原稿に対する加熱処理が実行完了し、中断している読み取りジョブの再開指示を受け付けると、画像読取装置はその読み取りジョブを継続再開する。これにより、中断された読み取りジョブを再開して完了できるようになる。
【００２５】
［６］前記読取部により取得された画像情報が記憶される記憶部を備え、
前記制御部は、前記読み取りジョブの実行開始から実行中断までに前記読取部により取得されて前記記憶部に記憶された画像情報と、前記読み取りジョブの継続再開から実行終了までに前記読取部により取得されて前記記憶部に記憶された画像情報とを、前記記憶部内で結合して前記読み取りジョブにおける１つの画像情報に形成する
ことを特徴とする［５］に記載の画像読取装置。
【００２６】
上記発明では、画像読取装置は割り込みによる読み取りジョブの中断および再開を行った場合でも、その中断前（読み取りジョブの実行開始から実行中断まで）に取得した画像情報と、再開後（読み取りジョブの継続再開から実行終了まで）に取得した画像情報とを、記憶部内で結合して該読み取りジョブにおける１つの画像情報に形成し、１つの画像情報として扱うことができる。
【００２７】
［７］給紙部にセットされた原稿を前記読取部が前記読み取りを行う読取位置および前記加熱器が前記加熱を行う加熱位置を通る搬送経路を通じて搬送し排紙部へ排出する自動原稿搬送装置を備える
ことを特徴とする［１］乃至［６］のいずれか１つに記載の画像読取装置。
【００２８】
上記発明では、加熱処理対象の原稿や割り込みによる読み取りジョブの原稿は自動原稿搬送装置により、給紙部から搬送経路を通じて自動搬送され、加熱位置での加熱器による加熱や読取位置での読取部による読み取りが行われて排紙部へ排出される。これにより、処理時間を短縮できると共にユーザの作業負担を軽減することができる。
【００２９】
また、原稿を搬送しながら加熱することで、加熱器は原稿の搬送方向と直交する方向に沿った一次元などの小型の加熱器（ラインヒータなど）で構成することができる。さらに、原稿を搬送しながら読み取るための搬送系と、原稿を搬送しながら加熱するための搬送系とを共用できることにより、それらを個別に設ける場合に比べて装置全体を小型および簡素に構成することができる。
【発明の効果】
【００３０】
本発明の画像読取装置によれば、原稿に対する加熱処理が開始可能となるまでの待機時間を有効に利用できるようになるため、利便性が向上する。
【発明を実施するための最良の形態】
【００３１】
以下、図面に基づき本発明の実施の形態を説明する。
【００３２】
［第１の実施の形態］
図１は、本発明の第１の実施の形態に係る画像読取装置としての機能を含む画像形成装置１０の構成を示している。画像形成装置１０は、原稿を光学的に読み取って画像データを取得し、その画像データを保存したり外部端末へ送信したりするスキャン機能、原稿を読み取り、かつその読み取りで得た画像データに基づいて原稿の複製画像を記録紙に印刷して出力するコピー機能、外部端末から受信した印刷データをラスタライズして得た画像を記録紙に印刷して出力するプリンタ機能などを備えた、所謂、複合機として構成されている。
【００３３】
また、画像形成装置１０は、加熱されると無色化する塗料で描画された原稿を加熱して描画部分を無色化し消去する機能や、この原稿を読み取る動作に連動させて読み取り後の原稿を加熱して描画部分を無色化し消去する機能を備えている。以下では、加熱されると無色化する塗料を「無色化塗料」と呼ぶ場合がある。
【００３４】
画像形成装置１０は、当該画像形成装置１０の動作を統括制御する制御部１１に、自動原稿搬送装置２０（Auto Document Feeder；ＡＤＦ）と、読取部１２と、通信部１３と、画像記憶部１４と、操作表示部１５と、プリンタ部１６とを接続して構成される。制御部１１は、図示省略のＣＰＵ（Central Processing Unit）、ＲＯＭ（Read Only Memory）、ＲＡＭ（Random Access Memory）、不揮発メモリなどを主要部として構成されている。ＲＯＭには各種のプログラムが格納されており、これらのプログラムに従ってＣＰＵが処理を実行することにより画像形成装置１０としての各機能が実現される。ＲＡＭはＣＰＵがプログラムを実行する際に各種のデータを一時的に格納するワークメモリとして使用される。不揮発メモリには、電源がオフしても保存しておくべきユーザ情報や各種の設定情報が記憶される。
【００３５】
自動原稿搬送装置２０は、原稿の給紙部となる原稿給紙トレイ２１と、原稿が搬送される搬送経路２２と、原稿を搬送経路２２を通じて搬送する搬送機構２３と、原稿を加熱する熱源２５を有する加熱器２４と、加熱器２４を原稿との接離方向へ変位させる変位機構２６と、原稿を表裏反転させるための反転経路２７と、原稿を反転経路２７へ案内する反転機構２８と、原稿の排紙部となる原稿排紙トレイ２９とを備えている（図２参照）。搬送機構２３と、加熱器２４と、変位機構２６と、反転機構２８とは制御部１１に接続されており、制御部１１によって動作が制御される。
【００３６】
自動原稿搬送装置２０は、原稿給紙トレイ２１にセットされた原稿（原稿束）を、搬送機構２３が１枚ずつ送り出し、読取部１２によって原稿の読み取りが行われる読取位置および加熱器２４によって原稿の加熱が行われる加熱位置を経由する搬送経路２２を通じて搬送機構２３が原稿を搬送し、原稿排紙トレイ２９へ排出する機能を果たす。また、原稿の両面読み取りを行う場合には、自動原稿搬送装置２０は読取部１２により表面の読み取りが済んだ原稿を反転機構２８が反転経路２７へ案内し、反転経路２７を通じて原稿を表裏反転させて搬送経路２２における読取部１２（読取位置）の上流側に戻し、その原稿を搬送機構２３が上記の読取位置および加熱位置を通過させて原稿排紙トレイ２９へ排出する機能を果たす。自動原稿搬送装置２０の詳細は後述する。
【００３７】
読取部１２は、自動原稿搬送装置２０によって搬送される原稿を読取位置で光学的に読み取って画像データを取得する機能を果たす。読取部１２は、原稿に光を照射し、その反射光を受光することで原稿をその搬送方向（副走査方向）と直交する主走査方向に１ライン分読み取る密着型のラインイメージセンサを備えて構成されており、自動原稿搬送装置２０によって原稿を搬送方向（副走査方向）に移動させながら主走査方向へのライン単位の読取動作を繰り返すことで原稿を２次元画像として読み取るようになっている。読取部１２は、ラインイメージセンサの出力するアナログ画像信号をデジタルの画像データに変換して出力するようになっている。
【００３８】
通信部１３は、ＬＡＮ（Local Area Network）やインターネットなどのネットワークと接続してネットワーク上の各種装置と通信する機能を果たす。たとえば、読取部１２で読み取って得た画像データを外部端末へ送信する場合や外部端末から印刷データを受信する場合に使用される。
【００３９】
画像記憶部１４は、読取部１２で読み取って得た画像データの保存などに使用される不揮発の大容量記憶装置である。ここでは、画像記憶部１４は、ハードディスク装置とそのコントローラで構成される。
【００４０】
操作表示部１５は、各種の操作画面や設定画面、選択画面、案内画面などを表示する機能、およびユーザから各種の操作を受ける機能を果たす。ここでは、表示機能を担う液晶ディスプレイ（Liquid Crystal Display；ＬＣＤ）と、該液晶ディスプレイの表面に形成され、押下された座標位置を検出するタッチパネルや、テンキー、スタートボタン、各種操作スイッチなどで構成される。
【００４１】
プリンタ部１６は、入力される画像データに応じた画像を記録紙に印刷して出力する機能を果たす。プリンタ部１６は、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の画像形成方式のプリンタであっても構わない。
【００４２】
図２は、自動原稿搬送装置２０および読取部１２を示している。
【００４３】
自動原稿搬送装置２０は、複数枚の原稿Ｍが載置可能な原稿給紙トレイ２１を備え、原稿給紙トレイ２１の下方に原稿排紙トレイ２９が設けられている。読取部１２は、自動原稿搬送装置２０の底板２０ａに近接して原稿給紙トレイ２１および原稿排紙トレイ２９とは反対側の端部寄り（図２では左側端部寄り）に配置されている。
【００４４】
自動原稿搬送装置２０における原稿Ｍの搬送経路２２は、原稿排紙トレイ２９から読取部１２側へ延出され、読取部１２の上方で原稿排紙トレイ２９側へＵターンするように屈曲されて読取部１２上を近接通過し原稿排紙トレイ２９へと繋がる横向きＵ字形状の経路とされている。この搬送経路２２における原稿給紙トレイ２１から原稿排紙トレイ２９までの経路部分は、図示しない通路部材によって形成されている。
【００４５】
原稿Ｍは、表面（片面原稿の場合は描画面）を上に向けて原稿給紙トレイ２１に載置され、原稿給紙トレイ２１から原稿排紙トレイ２９へ搬送される際に、搬送経路２２における屈曲部から先の経路部分では表面が下向き（裏面が上向き）にされて搬送される。
【００４６】
搬送機構２３は、原稿Ｍを搬送するための複数のローラと、各ローラを回転駆動する複数のモータ（図示省略）などで構成されている。ローラの詳細は、原稿給紙トレイ２１に載置された原稿Ｍの表面先端部に接触回転して最上の原稿Ｍから１枚ずつ分離して送り出す送り出しローラ３１と、搬送経路２２に沿って所定の間隔で配設され、送り出しローラ３１によって送り出された原稿Ｍを回転挟持して搬送経路２２の下流側（原稿排紙トレイ２９側）へ搬送する複数対の搬送ローラ３２と、搬送経路２２の下流側に配設され、搬送ローラ３２によって搬送経路２２の下流側まで搬送された原稿Ｍを回転挟持して原稿排紙トレイ２９へ排出する、または、逆転して反転経路２７側へ送り込む１対の排出ローラ３３と、読取部１２に対応して配設され、原稿Ｍの裏面（背面）に接触回転しつつ原稿Ｍを読取部１２側へ押圧する読取ローラ３４などである。
【００４７】
自動原稿搬送装置２０の底板２０ａには、読取部１２と対応する箇所に、搬送経路２２における原稿Ｍの搬送方向と直交する方向（図２では紙面の表裏方向）に沿った細長い開口形状のスリット３０が形成されている。読取部１２は、内蔵のラインイメージセンサ１２ａがスリット３０側（上側）へ向けられてスリット３０と平行になるように配置されている。読取ローラ３４は、スリット３０を通過する原稿Ｍに対し、原稿Ｍの裏面に接触回転しつつ原稿Ｍを読取部１２側へ押圧して、原稿Ｍの表面を読取部１２のラインイメージセンサ１２ａに密着させるようになっている。
【００４８】
この読取部１２と読取ローラ３４の間に形成されているスリット３０による開口部は、読取部１２がラインイメージセンサ１２ａで原稿Ｍを読み取る読取位置Ｓとなっている。
【００４９】
搬送経路２２における読取位置Ｓの下流側（読取位置Ｓと原稿排紙トレイ２９の間）には、原稿Ｍに対して加熱消去処理を行うための加熱器２４と、加熱器２４を原稿Ｍとの接離方向へ変位可能に支持すると共にその接離方向へ変位させる変位機構２６とが配置されている。加熱器２４は、通電により内蔵の熱源２５が発熱する電気式のラインヒータで構成されている。
【００５０】
この加熱器２４は、自動原稿搬送装置２０の底板２０ａ上に取り付けられた変位機構２６に支持されて搬送経路２２の下側に配置されると共に、熱源２５を搬送経路２２側（上側）へ向けて原稿Ｍの搬送方向と直交する方向（図２では紙面の表裏方向）に沿った向きに配置されている。
【００５１】
変位機構２６は、加熱器２４を原稿Ｍに接触させる接触位置（上昇位置）および原稿Ｍから離間させる離間位置（退避位置／下降位置）の間で変位可能に支持する支持部材（ベース）と、加熱器２４を接触位置側へ付勢するバネなどの付勢部材（図示省略）と、付勢部材の付勢力に抗して加熱器２４を離間位置側へ変位させるソレノイドなどの駆動源（図示省略）とを備えている。
【００５２】
制御部１１は、上記の駆動源への通電制御を行うことで加熱器２４を変位するようになっている。詳細には、制御部１１による駆動源への非通電時には駆動源が駆動停止し、加熱器２４は付勢部材により上方へ付勢されて接触位置に保持される。制御部１１による駆動源への通電時には駆動源が駆動し、加熱器２４は駆動源により下方へ変位されて離間位置に保持されるようになっている。
【００５３】
また制御部１１は、後述する加熱器管理部（図９参照）を通じて加熱器２４の状態確認や通電制御を行うようになっている。加熱器２４は、通電されると熱源２５が昇温して所定温度まで上昇するようになっている。所定温度は、加熱されると無色化する塗料で描画された原稿が加熱器２４の熱源２５上を通過する際に、熱源２５がその原稿を加熱して描画部分を無色化し消去することができる温度（加熱温度）である。
【００５４】
自動原稿搬送装置２０においては、搬送経路２２における読取位置Ｓの下流側に配置された加熱器２４の上面部が、加熱器２４が熱源２５で原稿Ｍを加熱する加熱位置Ｈとなっている。
【００５５】
反転経路２７は、搬送経路２２における排出ローラ３３の上流近傍位置から分岐して読取部１２側へ延出され、読取部１２の上方で搬送経路２２における屈曲部の上流位置に繋がれている。この反転経路２７も搬送経路２２と同様に、図示しない通路部材によって形成されている。
【００５６】
反転機構２８は、原稿Ｍを搬送経路２２から反転経路２７へ案内するためにそれらの経路の分岐位置近傍に設けられた可動式の経路切り替え部材２８ａ（原稿案内板）を備えている。経路切り替え部材２８ａは、図２では左側となる基端部が軸支されて傾動すると共に上記の分岐位置に配置された先端部が上下に変位し、図２の実線で示す上昇姿勢では搬送経路２２を開放して反転経路２７を閉塞し、図２の破線で示す下降姿勢では搬送経路２２を閉塞して反転経路２７を開放するようになっている。
【００５７】
また反転機構２８は、経路切り替え部材２８ａを上昇姿勢側へ付勢するバネなどの付勢部材（図示省略）と、付勢部材の付勢力に抗して経路切り替え部材２８ａを下降姿勢側へ変位させるソレノイドなどの駆動源（図示省略）を備えている。
【００５８】
制御部１１は、上記の駆動源への通電制御と搬送ローラ３２の回転制御を行うことで、搬送経路２２において搬送ローラ３２まで搬送された原稿Ｍを搬送経路２２から反転経路２７へ案内するようになっている。
【００５９】
詳細には、制御部１１は通常時には排出ローラ３３を原稿の排出方向である正転方向へ回転させると共に、駆動源への通電を停止して駆動源を駆動停止させている。経路切り替え部材２８ａは、駆動源が駆動停止されていることで付勢部材により上方へ付勢され、上昇姿勢に保持されている。
【００６０】
原稿Ｍの両面読み取りを行う場合には、原稿Ｍが読取位置Ｓを通過して片面（表面）の読み取りが済み、原稿Ｍの後端部が経路切り替え部材２８ａを通過して搬送ローラ３２に差し掛かると、制御部１１は駆動源に通電して駆動源を駆動させ、経路切り替え部材２８ａを下降姿勢に変位させて反転経路２７への案内状態を構成し、搬送ローラ３２を逆転させる。
【００６１】
経路切り替え部材２８ａを通過した原稿Ｍは、搬送ローラ３２によって逆方向へ搬送され、経路切り替え部材２８ａによって反転経路２７へ案内される。この原稿Ｍは、反転経路２７を通じて読取部１２側へ搬送され、表裏が反転されて搬送経路２２における屈曲部の上流位置へ進入する。
【００６２】
原稿Ｍが反転経路２７へ送り込まれて経路切り替え部材２８ａを通過すると、制御部１１は駆動源への通電を停止して駆動源を駆動停止させ、経路切り替え部材２８ａを元の上昇姿勢に変位させ、搬送ローラ３２を正転させる。
【００６３】
表裏が反転されて搬送経路２２に進入した原稿Ｍは、裏面を下向きにし読取部１２側へ向けて読取位置Ｓを通過する。そして、経路切り替え部材２８ａが上昇姿勢へ変位することで開放された搬送経路２２の下流側をそのまま搬送経路２２に沿って搬送され、正転する搬送ローラ３２によって原稿排紙トレイ２９に排出される。
【００６４】
また図示は省略するが、自動原稿搬送装置２０の原稿給紙トレイ２１には、原稿の有無、および載置されている原稿のサイズを検出するための複数の原稿センサが設けられている。搬送経路２２および反転経路２７には、各経路を搬送される原稿を検出するための複数の検出センサが所定の間隔で設けられている。原稿センサおよび検出センサが出力する信号（オン／オフ信号）は、制御部１１に入力される。
【００６５】
制御部１１は、原稿センサからの信号に基づいて、原稿給紙トレイ２１上の原稿の有無、および原稿のサイズを認識し、検出センサからの信号に基づいて、搬送経路２２および反転経路２７における原稿の搬送位置や詰まり（ジャム）を認識し、これらの認識結果に応じて自動原稿搬送装置２０による原稿の搬送動作や表裏反転動作、読取部１２による原稿の読み取り動作などを制御する。
【００６６】
次に、画像形成装置１０による原稿の加熱消去処理の動作および加熱消去処理に対する読み取りジョブの割り込み動作を説明する。
【００６７】
図３〜図６は、上記の動作に係る画像形成装置１０の操作表示部１５に表示される画面を示している。操作表示部１５への表示内容は制御部１１によって制御される。
【００６８】
図３は、割り込みではなく通常のジョブにおける読取設定画面４０の一例を示している。読取設定画面４０には、スキャン設定４１、読込設定４２、拡大縮小４３、紙サイズ４４に分類されてそれらの詳細な項目を選択・設定するための操作ボタンが表示される。
【００６９】
スキャン設定４１には、原稿の読み取りを片面（表面）のみまたは両面（表裏面）とし、その読み取った原稿における複製画像の記録紙への印刷を片面（表面）のみまたは両面（表裏面）とする４通りの組み合わせ、すなわち、片面読み取り片面印刷、片面読み取り両面印刷、両面読み取り片面印刷、両面読み取り両面印刷、を選択するための４つの操作ボタンが表示される。
【００７０】
読込設定４２には、加熱消去処理を行わずに原稿を読み取る通常読み取りモードを選択するための通常読込ボタン４５と、原稿を読み取らずに加熱消去処理を行う消去モードを選択するための消去ボタン４６と、原稿を読み取りかつ読み取り後の原稿に加熱消去処理を行う読み取り消去モードを選択するための読込消去ボタン４７とが表示される。
【００７１】
このほか、読込設定４２には、読み取った原稿に対する拡大縮小に関する設定を行うための操作ボタンが表示され、紙サイズ４４には、読み取った原稿をコピー機能によって印刷出力する際の記録紙のサイズを選択するための操作ボタンが表示される。
【００７２】
ユーザは、この読取設定画面４０を通じて読み取りジョブ（コピージョブ）の各種設定を行う。また、原稿（無色化塗料で描画された原稿を含む）の読み取りを行う場合には、通常読込ボタン４５を押下して通常読み取りモードを選択する。無色化塗料で描画された原稿に対し、読み取りを行わずに加熱消去処理を行う場合には、消去ボタン４６を押下して消去モードを選択する。無色化塗料で描画された原稿に対し、読み取りを行ってから加熱消去処理を行う場合には、読込消去ボタン４７を押下して読み取り消去モードを選択する。
【００７３】
消去モードまたは読み取り消去モードが選択されて操作表示部１５に設けられたスタートボタンが操作されたときに、加熱器２４が所定温度でない場合には、加熱器２４は通電されて昇温が開始される。
【００７４】
図４は、図３の読取設定画面４０で消去モードまたは読み取り消去モードが選択され、加熱器２４が所定温度に昇温されていないために加熱消去処理が準備中（待機中）となる場合に操作表示部１５に表示される準備画面５０の一例を示している。
【００７５】
準備画面５０には、加熱器２４を昇温して加熱消去処理を実行できるように準備している旨、および、この準備中（待機時間）に読み取りジョブの割り込みが可能である旨を示すメッセージ５１と、読み取りジョブの割り込みを実行する操作を受け付ける割り込みジョブ実行ボタン５２とが表示される。加熱器２４は、準備画面５０が表示されている間にも、所定温度に達するように通電および昇温が継続される。
【００７６】
ユーザは、読み取りジョブの割り込みを行う場合には、準備画面５０の割り込みジョブ実行ボタン５２を押下する。
【００７７】
図５は、図４の準備画面５０で割り込みジョブ実行ボタン５２が押下された場合に操作表示部１５に表示される割り込みジョブ用の読取設定画面６０の一例を示している。
【００７８】
割り込みジョブ用の読取設定画面６０には、図３に示した通常ジョブ用の読取設定画面４０と同様に、スキャン設定４１、読込設定４２、拡大縮小４３、紙サイズ４４の詳細な項目を選択・設定するための操作ボタンが表示される。ただし、読込設定４２には、図３に示した消去ボタン４６および読込消去ボタン４７が表示されずに通常読込ボタン４５のみが表示される。この読取設定画面６０では、図３の読取設定画面４０で説明した消去モードと読み取り消去モードが選択できない状態となる。
【００７９】
また読取設定画面６０には、割り込みジョブのキャンセルを行うための割り込みジョブキャンセルボタン６１が表示される。加熱器２４は、読取設定画面６０が表示されている間にも、所定温度に達するように通電および昇温が継続される。
【００８０】
ユーザは、この読取設定画面６０を通じて割り込みによる読み取りジョブの各種設定を行う。また、割り込みジョブをキャンセルする場合には割り込みジョブキャンセルボタン６１を押下する。この操作によって割り込みジョブがキャンセルされ、操作表示部１５の表示内容は図４に示す準備画面５０に戻る。ここでユーザが準備画面５０の割り込みジョブ実行ボタン５２を押下すると、操作表示部１５には再び割り込みジョブ用の読取設定画面６０が表示される。
【００８１】
ユーザは、割り込みジョブの原稿を自動原稿搬送装置２０の原稿給紙トレイ２１にセットし、読取設定画面６０を通じて割り込みジョブの設定を行い、操作表示部１５に設けられたスタートボタンを押下する。これにより、自動原稿搬送装置２０による原稿の自動搬送と読取部１２による読み取りが開始される（割り込みジョブ実行）。加熱器２４は、割り込みジョブが実行されている間にも、所定温度に達するように通電および昇温が継続される。また、割り込みジョブの実行中に加熱器２４が所定温度に達した場合には割り込みジョブは中断される。
【００８２】
図６は、割り込みジョブの実行中に加熱器２４が所定温度に達して加熱消去処理の準備が完了した場合に操作表示部１５に表示される案内画面７０（原稿再セット画面）の一例を示している。
【００８３】
案内画面７０には、加熱器２４の熱源２５が所定温度に達して加熱消去処理の準備が完了した旨、および、自動原稿搬送装置２０の原稿給紙トレイ２１にセットされている割り込みジョブの原稿を取り除いて加熱消去処理を行う原稿を再セットする旨を示すメッセージ７１と、その原稿の入れ替えを模式的に示したイメージ図７２と、加熱消去処理を実行するための消去ボタン７３とが表示される。割り込みジョブは、加熱消去処理の準備が完了すると実行が中断される。
【００８４】
ユーザは、案内画面７０による案内に従い、自動原稿搬送装置２０の原稿給紙トレイ２１にセットされている割り込みジョブの原稿を取り除いて加熱消去処理を行う原稿を再セットし、消去ボタン７３を押下する。消去モードが選択されている場合には、自動原稿搬送装置２０による原稿の自動搬送と加熱器２４による加熱消去処理が開始される（消去ジョブ実行）。読み取り消去モードが選択されている場合には、自動原稿搬送装置２０による原稿の自動搬送と、読取部１２による読み取りおよび加熱器２４による加熱消去処理が開始される（読み取り消去ジョブ実行）。
【００８５】
図７および図８は、画像形成装置１０が行う原稿の加熱消去処理およびジョブ割り込みの動作の流れを示している。詳細には、図７がメインルーチンの動作の流れを示しており、図８がメインルーチンにおける割り込みジョブ実行処理のサブルーチンの動作の流れを示している。
【００８６】
ユーザが読取設定画面４０（図３参照）にて通常読み取りモードまたは消去モードまたは読み取り消去モードの選択操作を行うと共に、通常読み取りモードおよび読み取り消去モードにおいては読み取りに関する各種設定操作を行い、自動原稿搬送装置２０の原稿給紙トレイ２１に原稿をセットして操作表示部１５のスタートボタンを操作すると、制御部１１は本動作を開始する（Ｓｔａｒｔ）。
【００８７】
制御部１１は、消去モードまたは読み取り消去モードが選択されているか否かを調べ（ステップＳ１０１）、これらのモードが選択されておらずに通常読み取りモードが選択されている場合には（ステップＳ１０１；Ｎｏ）、自動原稿搬送装置２０の原稿給紙トレイ２１にセットされている原稿の読み取りを行う（ステップＳ１０２）。
【００８８】
詳細には、自動原稿搬送装置２０が原稿給紙トレイ２１に載置されている１または複数枚の原稿のうちの最上の１枚を送り出し、搬送経路２２を通じて原稿排紙トレイ２９へ排出すると共に、その原稿が読取位置Ｓを通過する際に読取部１２がライン単位の読み取りを繰り返し行って２次元画像の画像データを取得し、その画像データを制御部１１が画像記憶部１４に保存する。また、両面読み取りが設定されている場合には、片面（表面）の読み取りが済んだ原稿を、自動原稿搬送装置２０が反転経路２７を通じて表裏反転させて搬送経路２２における読取位置Ｓの上流位置に戻し、その原稿が読取位置Ｓを通過する際に読取部１２が原稿裏面のライン単位の読み取りを繰り返し行って２次元画像の画像データを取得し、その画像データを制御部１１が画像記憶部１４に保存する。
【００８９】
原稿給紙トレイ２１にセットされている全ての原稿の読み取りを完了すると、制御部１１は本動作を終了する（Ｅｎｄ）。
【００９０】
消去モードまたは読み取り消去モードが選択されている場合には（ステップＳ１０１；Ｙｅｓ）、制御部１１は加熱器管理部を通じて加熱器２４が所定温度であるか否かを確認する（ステップＳ１０３）。所定温度は、前述したように、無色化塗料で描画された原稿が加熱器２４による加熱位置Ｈ（熱源２５上）を通過する際に、加熱器２４がその原稿を加熱して描画部分を無色化し消去することができる温度である。
【００９１】
加熱器２４が所定温度でない場合には（ステップＳ１０３；Ｎｏ）、制御部１１は加熱器管理部を通じて加熱器２４に通電を行い、加熱器２４の熱源２５を昇温する（ステップＳ１０４）。また制御部１１は、操作表示部１５に準備画面５０（図４参照）を表示して画像形成装置１０を割り込みジョブの受付可能状態とし、割り込みジョブの受け付けを監視する（ステップＳ１０５；Ｎｏ→ステップＳ１０３；Ｎｏ→ステップＳ１０４→ステップＳ１０５；Ｎｏのループ）。
【００９２】
割り込みジョブを受け付けずに加熱器２４が所定温度に達した場合には（ステップＳ１０３；Ｙｅｓ）、ステップＳ１０７へ移行する。加熱器２４が所定温度に達する前に、準備画面５０の割り込みジョブ実行ボタン５２がユーザにより押下操作されて割り込みジョブを受け付けた場合には（ステップＳ１０５；Ｙｅｓ）、制御部１１は操作表示部１５に読取設定画面６０（図５参照）を表示する。読取設定画面６０の割り込みジョブキャンセルボタン６１がユーザにより押下操作されて割り込みジョブのキャンセルを受け付けた場合には（ステップＳ１０５；Ｎｏ）、ステップＳ１０３へ戻り、以下同様の動作を行う。
【００９３】
ユーザが読取設定画面６０にて通常読み取りモードの選択操作および読み取りに関する各種設定操作を行い、原稿給紙トレイ２１にセットされている加熱消去処理対象の原稿を取り除いて読み取り対象の原稿をセットし、操作表示部１５のスタートボタンを操作すると、制御部１１は割り込みジョブ実行処理を図８に示すサブルーチンにて行う（ステップＳ１０６）。
【００９４】
制御部１１は、割り込みジョブ実行処理を開始し（図８参照）、読取設定画面６０による設定内容（割り込みジョブの読み取りに対して設定された内容）で自動原稿搬送装置２０および読取部１２が読み取り動作を行うように設定する（ステップＳ１２１）。続いて制御部１１は、加熱器管理部を通じて加熱器２４が所定温度に達したか否かを確認する（ステップＳ１２２）。
【００９５】
加熱器２４が所定温度に達していない場合には（ステップＳ１２２；Ｎｏ）、制御部１１は自動原稿搬送装置２０を制御して原稿給紙トレイ２１にセットされている原稿を１枚送り出し、読取部１２を制御してその１枚の原稿の読み取りを行う（ステップＳ１２３）。さらに制御部１１は、読取部１２により取得された原稿の画像データを画像記憶部１４に保存する。
【００９６】
なお、この割り込みジョブの原稿を読み取る際には、昇温中の加熱器２４が加熱位置Ｈを通過する原稿Ｍに接触して熱を奪われないようにするために、加熱器２４を離間位置へ退避させるようにしてもよい。
【００９７】
続いて制御部１１は、最終の原稿の読み取りを完了したか否かを判断する（ステップＳ１２４）。原稿給紙トレイ２１に原稿が残っていない場合には、制御部１１は最終の原稿の読み取りを完了したと判断し（ステップＳ１２４；Ｙｅｓ）、本サブルーチンを終了して図７に示すメインルーチンに戻る（Ｒｅｔｕｒｎ）。
【００９８】
原稿給紙トレイ２１に原稿が残っている場合には、制御部１１は最終の原稿の読み取りを完了していないと判断し（ステップＳ１２４；Ｎｏ）、ステップＳ１２２へ戻り、以下同様の動作を行う。
【００９９】
加熱器２４が所定温度に達した場合には（ステップＳ１２２；Ｙｅｓ）、制御部１１は割り込みジョブを中断する（ステップＳ１２５）。すなわち、制御部１１は自動原稿搬送装置２０および読取部１２を制御して原稿給紙トレイ２１にセットされている原稿の送り出しおよび読み取りを中断する。さらに制御部１１は、画像記憶部１４に保存された当該割り込みジョブの画像データに、割り込みジョブの画像データであることを示す識別情報を対応付けて記憶する。そして制御部１１は、操作表示部１５に原稿再セット画面となる案内画面７０（図６参照）を表示し、本サブルーチンを終了して図７に示すメインルーチンに戻る（Ｒｅｔｕｒｎ）。
【０１００】
図７におけるメインルーチンでは、上述の割り込みジョブ実行処理（ステップＳ１０６）から戻ると、ステップＳ１０３へ移行する。
【０１０１】
たとえば、加熱器２４が所定温度に達する前に割り込みジョブが完了した場合は（図８のステップＳ１２２；Ｎｏ→ステップＳ１２３→ステップＳ１２４；Ｙｅｓ→図７のステップＳ１０３）、加熱器２４が所定温度でないため（ステップＳ１０３；Ｎｏ）、制御部１１は加熱器管理部を通じた加熱器２４への通電を継続して加熱器２４の昇温を継続する（ステップＳ１０４）。さらに、操作表示部１５に準備画面５０（図４参照）を表示して再び画像形成装置１０を割り込みジョブの受付可能状態とし、割り込みジョブの受け付けを監視する（ステップＳ１０５；Ｎｏ→ステップＳ１０３；Ｎｏ→ステップＳ１０４→ステップＳ１０５；Ｎｏのループ）。
【０１０２】
ここで再び割り込みジョブを受け付けた場合には（ステップＳ１０５；Ｙｅｓ）、制御部１１は操作表示部１５に読取設定画面６０（図５参照）を表示し、以降は上述した動作を同様に行う。２回目以降の割り込みジョブを受け付けることなく加熱器２４が所定温度に達すると（ステップＳ１０５；Ｎｏ→ステップＳ１０３；Ｙｅｓ）、加熱消去処理の準備は完了した状態となり、制御部１１は当初に選択・設定された消去モードまたは読み取り消去モードによる加熱消去処理を行う。
【０１０３】
ただし、少なくとも１回は割り込みジョブを行っているため、自動原稿搬送装置２０の原稿給紙トレイ２１には加熱消去処理を行う原稿がセットされていない可能性がある。ここで制御部１１は、原稿給紙トレイ２１上の原稿の有無を検出する。原稿を検出した場合は、加熱消去処理を開始する。原稿を検出しない場合は、加熱消去処理の対象となる原稿の再セットを促す画面を操作表示部１５に表示する。その後、原稿給紙トレイ２１上の原稿を検出し、加熱消去処理の実行操作を受け付けると加熱消去処理を開始する。
【０１０４】
また、加熱器２４が所定温度に達して割り込みジョブを中断した場合は（図８のステップＳ１２２；Ｙｅｓ→ステップＳ１２５→ステップＳ１２６→図７のステップＳ１０３）、加熱器２４は所定温度であり（ステップＳ１０３；Ｙｅｓ）、制御部１１は当初に選択・設定された消去モードまたは読み取り消去モードによる加熱消去処理を行う。
【０１０５】
この場合は、ユーザは自動原稿搬送装置２０の原稿給紙トレイ２１に加熱消去処理の対象となる原稿を再セットする。すなわち、原稿給紙トレイ２１に残っている割り込みジョブの原稿を取り除いて加熱消去処理対象の原稿を原稿給紙トレイ２１に載置する。ユーザが案内画面７０の消去ボタン７３を押下すると、制御部１１は消去モードまたは読み取り消去モードによる加熱消去処理を開始する。
【０１０６】
また、ジョブの割り込みが行われずに加熱器２４が所定温度に達した場合は、自動原稿搬送装置２０の原稿給紙トレイ２１には当初にセットされた加熱消去処理対象の原稿がセットされたままであり、この原稿に対して消去モードまたは読み取り消去モードによる加熱消去処理が開始される。
【０１０７】
制御部１１は、先ず原稿の読み取りを行うか否かを確認する（ステップＳ１０７）。読み取り消去モードが選択されている場合は原稿の読み取りを行うことになり（ステップＳ１０７；Ｙｅｓ）、制御部１１はステップＳ１０２で説明した自動原稿搬送装置２０による原稿の自動搬送と読取部１２による原稿の読み取り（画像データの取得および画像記憶部１４への保存）を行い、読み取りが済んだ原稿に対して加熱器２４が加熱消去処理を行う（ステップＳ１０８）。この動作では、自動原稿搬送装置２０に搬送され読取位置Ｓで読取部１２に読み取られた原稿は、加熱位置Ｈを通過する際に加熱器２４の熱源２５により加熱され、無色化塗料で描画された描画部分が消去されて原稿排紙トレイ２９に排出される。
【０１０８】
また、両面読み取りが設定されている場合には、加熱器２４を離間位置へ退避させた状態で原稿の表面の読み取りを行う。表面の読み取りが済んだ原稿は、反転経路２７を通じて表裏反転させて搬送経路２２に戻し、再び読取位置Ｓを通過させて読取部１２による裏面の読み取りを行う。また、原稿を反転経路２７に送り込んだ後は加熱器２４を接触位置へ変位させ、裏面の読み取りが済んだ原稿が加熱位置Ｈを通過する際に加熱器２４に接触されるようにする。これにより、原稿は表面と裏面の読み取りが済んでから加熱位置Ｈを通過する際に加熱器２４の熱源２５により加熱され、無色化塗料で描画された描画部分が消去されて原稿排紙トレイ２９に排出される。
【０１０９】
消去モードが選択されている場合は原稿の読み取りを行わないことになり（ステップＳ１０７；Ｎｏ）、制御部１１は自動原稿搬送装置２０による原稿の自動搬送のみを行い、この原稿に対して加熱器２４が加熱消去処理を行う（ステップＳ１０９）。この動作では、自動原稿搬送装置２０に搬送される原稿は、読取位置Ｓで読取部１２に読み取られることなく、加熱位置Ｈを通過する際に加熱器２４の熱源２５により加熱され、無色化塗料で描画された描画部分が消去されて原稿排紙トレイ２９に排出される。
【０１１０】
原稿給紙トレイ２１にセットされた全ての原稿に対する加熱消去処理が完了すると、制御部１１は割り込みジョブを中断しているか否かを確認する（ステップＳ１１０）。割り込みジョブを中断していない場合には（ステップＳ１１０；Ｎｏ）、本動作を終了する（Ｅｎｄ）。割り込みジョブを中断している場合には（ステップＳ１１０；Ｙｅｓ）、中断している割り込みジョブの継続再開を受け付ける。たとえば、制御部１１は操作表示部１５に割り込みジョブの継続再開を要求する表示とその実行操作を受け付ける案内画面などを表示し、画像形成装置１０を割り込みジョブの継続再開受付可能状態にする。
【０１１１】
ユーザが中断を受けた割り込みジョブの残りの原稿（未読み取り原稿）を自動原稿搬送装置２０の原稿給紙トレイ２１にセットし、割り込みジョブの継続再開を実行する操作を行うと、制御部１１は割り込みジョブの継続再開を実行する（ステップＳ１１１）。
【０１１２】
ここで制御部１１は、ジョブの割り込みを行うときにユーザによって設定された内容（割り込みジョブの読み取りに対して設定された当初の設定内容）で自動原稿搬送装置２０および読取部１２が読み取り動作を行うように制御し、原稿給紙トレイ２１にセットされている原稿の自動搬送および読み取りを行う。さらに制御部１１は、読取部１２による読み取りで取得された原稿の画像データを、画像記憶部１４に既に保存されている当該割り込みジョブの中断前の画像データに結合させて画像記憶部１４に保存する。そして、原稿給紙トレイ２１にセットされた全ての原稿に対する読み取りが完了すると、本動作を終了する（Ｅｎｄ）。
【０１１３】
図９は、図７および図８で説明した画像形成装置１０による原稿の加熱消去処理およびジョブ割り込みを動作シーケンスで示している。詳細には、ユーザによって操作や表示画面の確認が行われる操作表示部１５、加熱器２４を管理する加熱器管理部１７、自動原稿搬送装置２０（ＡＤＦ）および読取部１２、これらの各部を制御する制御部１１による動作シーケンスを示している。なお、ここでは、消去モードおよび読み取り消去モードにて加熱消去処理を行うジョブを「消去ジョブ」と略称し、加熱消去処理対象の原稿を「消去原稿」と略称して説明する。
【０１１４】
画像形成装置１０の操作表示部１５で消去ジョブの開始操作が行われると（Ｐ１）、制御部１１は加熱器管理部１７に加熱器２４の状態確認を行う（Ｐ２）。加熱器管理部１７は加熱器２４の温度を検出し、その検出温度を加熱器２４の状態として制御部１１に応答する（Ｐ３）。
【０１１５】
加熱器管理部１７からの応答で加熱器２４の検出温度が所定温度でない場合には、制御部１１は加熱器管理部１７に加熱器２４の昇温を指示すると共に（Ｐ４）、加熱器２４の準備中で割り込みジョブが受付可能であることを示す準備画面５０（図４参照）を操作表示部１５に表示する（Ｐ５）。加熱器管理部１７は、制御部１１や各部が他の動作を行っている間も、加熱器２４が所定温度に達するまで加熱器２４の昇温を継続する。
【０１１６】
自動原稿搬送装置２０の原稿給紙トレイ２１に割り込みジョブの原稿がセットされ、操作表示部１５で割り込みジョブの各種設定後に開始操作が行われると（Ｐ６）、制御部１１は自動原稿搬送装置２０および読取部１２を制御し、原稿給紙トレイ２１にセットされた割り込みジョブの原稿に対する自動原稿搬送装置２０による自動搬送と読取部１２による読み取りを開始する（Ｐ７）。
【０１１７】
割り込みジョブの実行中に加熱器２４が所定温度に達すると、加熱器管理部１７は加熱器２４の準備が完了したことを制御部１１に通知する（Ｐ８）。制御部１１は、自動原稿搬送装置２０による原稿の自動搬送と読取部１２による原稿の読み取りを停止し（Ｐ９）、割り込みジョブを中断する。さらに、消去原稿のセットを要求することを示す案内画面７０（図６参照）を操作表示部１５に表示する（Ｐ１０）。
【０１１８】
自動原稿搬送装置２０による原稿の自動搬送と読取部１２による原稿の読み取り動作の停止が完了し（Ｐ１１）、自動原稿搬送装置２０の原稿給紙トレイ２１に消去原稿がセットされて消去ジョブの実行操作が行われると（Ｐ１２）、制御部１１は原稿給紙トレイ２１にセットされた消去ジョブの原稿に対する自動原稿搬送装置２０による自動搬送と加熱消去処理を開始する。また、読み取り消去モードが選択されている場合は、搬送される原稿の読取部１２による読み取りを併せて行う（Ｐ１３）。
【０１１９】
原稿給紙トレイ２１にセットされた全ての消去原稿に対する処理が完了すると（Ｐ１４（消去ジョブ実行完了））、制御部１１は消去原稿に対する処理が完了したことを示す画面を操作表示部１５に表示する（Ｐ１５）。続いて制御部１１は、中断した割り込みジョブにおける残りの原稿の再セットを要求することを示す画面を操作表示部１５に表示する（Ｐ１６）。
【０１２０】
自動原稿搬送装置２０の原稿給紙トレイ２１に上記の原稿が再セットされて割り込みジョブの継続再開の操作が行われると（Ｐ１７）、制御部１１は自動原稿搬送装置２０および読取部１２を制御し、原稿給紙トレイ２１にセットされた上記の原稿に対する自動原稿搬送装置２０による自動搬送と読取部１２による読み取りを開始する（Ｐ１８）。原稿給紙トレイ２１にセットされた全ての原稿に対する処理が完了すると（Ｐ１９（割り込みジョブ実行完了））、制御部１１は割り込みジョブに対する処理が完了したことを示す画面を操作表示部１５に表示する（Ｐ２０）。
【０１２１】
このように、本実施の形態に係る画像形成装置１０は、原稿を加熱器２４で加熱する加熱処理（加熱消去処理）の開始指示を受け付け、加熱処理を実行するために加熱器２４を昇温して加熱器２４が所定温度に達するまでの間に、操作表示部１５に表示した準備画面５０（図４参照）を通じて読み取りジョブの割り込み指示を受け付けた場合には、加熱器２４の昇温を継続しつつその割り込み指示を受け付けた読み取りジョブを実行することができる。したがって、加熱器２４が所定温度まで昇温して加熱処理が開始可能となるまでの間に、読み取りジョブを割り込ませてその待機時間を有効に利用できるようになる。また、読み取りジョブの実行中も加熱器２４の昇温は継続されるため、待機時間が長引くことはない。これにより、読み取りジョブよりも先に開始指示を受け付けた加熱消去処理に及ぶ開始遅延などの影響も抑制することができる。
【０１２２】
また画像形成装置１０は、加熱器２４が所定温度に達すると操作表示部１５に案内画面７０（図６参照）を表示して原稿の加熱処理が実行可能であることをユーザに通知（報知）する。ユーザは、この案内画面７０を見て原稿の加熱処理が実行可能であることを把握でき、割り込みジョブの実行が中断された場合には、割り込みジョブと加熱処理の原稿を入れ替えるための準備や加熱処理を実行するための次の操作内容の把握などを迅速かつ円滑に行うことができる。
【０１２３】
また画像形成装置１０では、割り込みジョブの実行中に加熱器２４が所定温度に達して加熱処理が開始可能になると、割り込みジョブの実行が自動的に中断されるため、加熱処理への切り替えが迅速に行えるようになる。ユーザは、案内画面７０を通じて割り込みジョブの原稿と加熱処理を行う原稿との入れ替えを要求する通知を受け、次に行うべきその作業を迅速に把握して行動できるようになる。そして、原稿の入れ替え後に案内画面７０を通じて加熱処理の実行操作を行うことにより、加熱処理対象の原稿に対する加熱処理を実行することができる。
【０１２４】
また、画像形成装置１０で加熱処理が実行完了し、中断させた割り込みジョブの再開操作をユーザが画像形成装置１０に対して行うと、画像形成装置１０はその割り込みジョブを継続再開する。これにより、中断された割り込みジョブを再開して完了できるようになる。
【０１２５】
また、画像形成装置１０は自動原稿搬送装置２０を備えており、原稿を自動搬送して読み取りや加熱処理を行うことができる。これにより、処理時間を短縮できると共にユーザの作業負担を軽減することができる。
【０１２６】
また自動原稿搬送装置２０内に加熱器２４を設けて原稿を搬送しながら加熱できることにより、加熱器２４は原稿の搬送方向と直交する方向に沿った一次元の小型のラインヒータなどで構成できるようになる。さらに、原稿を搬送しながら読み取るための搬送系と、原稿を搬送しながら加熱するための搬送系とを、上述した共用の搬送経路２２や搬送機構２３として構成できることにより、それらを個別に設ける場合に比べて装置全体を小型および簡素に構成することができる。
【０１２７】
［第２の実施の形態］
次に、第２の実施の形態に係るジョブ割り込みの動作について説明する。第１の実施の形態では、割り込みジョブの実行中に加熱器２４が所定温度に達すると画像形成装置１０が割り込みジョブを自動的に中断するようにしているが、本実施の形態は、割り込みジョブの実行を継続し、ユーザから中断指示を受け付けることで中断する例である。ここでは、第１の実施の形態における図７で説明したメインルーチンの動作は同じあり、図８で説明したサブルーチンによる割り込みジョブ実行処理の動作のみが異なるため、その動作のみを説明する。
【０１２８】
図１０は、第２の実施の形態に係る割り込みジョブ実行処理の動作（サブルーチン）の流れを示している。
【０１２９】
制御部１１は、図１０に示す割り込みジョブ実行処理を開始すると、第１の実施の形態における図８で説明したステップＳ１２１と同じステップＳ１３１、ステップＳ１２２と同じステップＳ１３２、ステップＳ１２３と同じステップＳ１３３を行う。
【０１３０】
また、加熱器２４が所定温度に達した場合には（ステップＳ１３２；Ｙｅｓ）、制御部１１は加熱器２４の準備が完了した旨の通知と割り込みジョブの中断操作を受け付ける割り込みジョブ中断画面（図１１参照）を操作表示部１５に表示する（ステップＳ１３５）。
【０１３１】
割り込みジョブ中断画面を通じてユーザから割り込みジョブの中断操作を受け付けない場合には（ステップＳ１３６；Ｎｏ）、ステップＳ１３３へ移行して原稿の読み取りを継続する。割り込みジョブ中断画面を通じてユーザから割り込みジョブの中断操作を受け付けた場合には（ステップＳ１３６；Ｙｅｓ）、制御部１１は割り込みジョブを中断する。また第１の実施の形態と同様に、制御部１１は画像記憶部１４に保存された当該割り込みジョブの画像データに、割り込みジョブの画像データであることを示す識別情報を対応付けて記憶する。
【０１３２】
そして制御部１１は、加熱消去処理対象の原稿を再セットすることの要求の通知と加熱消去処理（消去ジョブ）の実行操作を受け付ける案内画面（図１２参照）を操作表示部１５に表示し（ステップＳ１３７）、本サブルーチンを終了して図７に示すメインルーチンに戻る（Ｒｅｔｕｒｎ）。
【０１３３】
図１１は、図１０のステップＳ１３５で操作表示部１５に表示される割り込みジョブ中断画面８０の一例を示している。
【０１３４】
割り込みジョブ中断画面８０には、加熱器２４の準備が完了した旨、および、割り込みジョブを中断する場合の操作方法を示すメッセージ８１と、割り込みジョブを中断する操作を受け付ける割り込みジョブ中断ボタン８２とが表示される。この割り込みジョブ中断画面８０における割り込みジョブ中断ボタン８２がユーザによって押下されると、上述したように割り込みジョブが中断される。
【０１３５】
図１２は、図１０のステップＳ１３６で操作表示部１５に表示される案内画面９０（原稿再セット画面）の一例を示している。
【０１３６】
案内画面９０には、割り込みジョブを中断した旨、および、自動原稿搬送装置２０の原稿給紙トレイ２１にセットされている割り込みジョブの原稿を取り除いて加熱消去処理を行う原稿を再セットする旨を示すメッセージ９１と、その原稿の入れ替えを模式的に示したイメージ図９２（第１の実施の形態に係る案内画面７０のイメージ図７２と同様）と、加熱消去処理を実行するための消去ボタン９３（同案内画面７０の消去ボタン７３と同様）とが表示される。この案内画面９０における消去ボタン９３がユーザによって押下されると、第１の実施の形態と同様に加熱消去処理が開始される。
【０１３７】
このように、本実施の形態では、加熱器２４が所定温度に達して加熱処理（加熱消去処理）が開始可能になっても、割り込みジョブは継続実行され、実行中断はユーザが手動操作で行えるようになる。すなわち、割り込みジョブの継続実行または実行中断はユーザが任意に選択できるようになる。
【０１３８】
たとえば、割り込みジョブの中断および再開に伴う原稿入れ替え作業の煩雑性などを考慮すると、読み取る原稿の残り枚数が１枚〜数枚などと残処理量が少ない場合には、自動的（強制的）に中断するのではなく最終ページまで読み取りを継続させて完了させてしまった方がよいようなケースもある。このようなジョブの残処理量に応じた継続実行または実行中断の選択などに対応できることで、利便性が向上する。
【０１３９】
また、ユーザが割り込みジョブの中断指示を行った場合には、ユーザは図１２に例示する案内画面９０を通じて割り込みジョブの原稿と加熱処理を行う原稿との入れ替えを要求する通知を受け、第１の実施の形態に係る案内画面７０と同様に次に行うべきその作業を迅速に把握して行動できるようになる。そして、原稿の入れ替え後に消去ボタン９３を押下して加熱処理の実行指示を行うことにより、加熱処理対象の原稿に対する加熱処理を実行できるようになる。
【０１４０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４１】
たとえば、上述した実施の形態では自動原稿搬送装置２０を両面読み取りに対応した構成としているが、片面読み取りのみに対応した構成としてもよい。その場合は反転経路２７や反転機構２８は不要となる。
【０１４２】
また、加熱器２４は変位機構２６によって変位する構成としているが、搬送経路２２を搬送される原稿に熱源２５（加熱面）が接触するように固定的に設けるようにしてもよい。
【０１４３】
また、加熱器２４の昇温時に所定温度に達するまでの時間を予測し、その予測時間を第１の実施の形態で説明した準備画面５０（図４参照）に表示するように構成してもよい。たとえば、「ヒータ熱源の準備完了まであとＸＸ秒」などの表示を行うようにしてもよい。
【０１４４】
また実施の形態では、自動原稿搬送装置２０を備えた画像形成装置１０を例に説明したが、本発明は自動原稿搬送装置を備えていない画像読取装置やその画像読取装置を備えた画像形成装置に適用することもできる。
【０１４５】
たとえば、画像読取装置のプラテンガラス（原稿台）に載置された原稿を押さえ付ける開閉型（可動型）の原稿押さえ板の内面（原稿押さえ面）に、原稿と同じ面積以上の加熱面を有する加熱器を設けるなどの構成が可能である。このような構成であれば、加熱器が所定温度に昇温した後に、プラテンガラスに載置された無色化塗料で描画された原稿を原稿押さえ板で押さえ付けることにより、原稿押さえ板に設けられた加熱器で原稿を加熱し描画部分を消去することができる。
【０１４６】
また実施の形態では、プリンタ部１６を備えた画像形成装置１０を例に説明したが、本発明はプリンタ部（プリンタ機能）を備えていない画像形成装置に適用することもできる。すなわち、本発明は、原稿の読み取りと加熱処理（加熱消去処理）が実行可能な画像読取装置や、この画像読取装置としての機能を含む画像形成装置などに適用することができる。
【図面の簡単な説明】
【０１４７】
【図１】本発明の第１の実施の形態に係る画像形成装置の構成を示すブロック図である。
【図２】本発明の第１の実施の形態に係る自動原稿搬送装置の概略構成を示す構成図である。
【図３】本発明の第１の実施の形態に係る読取設定画面を示す図である。
【図４】本発明の第１の実施の形態に係る準備画面を示す図である。
【図５】本発明の第１の実施の形態に係る割り込みジョブの読取設定画面を示す図である。
【図６】本発明の第１の実施の形態に係る案内画面を示す図である。
【図７】本発明の第１の実施の形態に係る原稿の加熱消去処理およびジョブ割り込みの動作のメインルーチンを示す流れ図である。
【図８】図７のメインルーチンにおける割り込みジョブ実行処理のサブルーチンを示す流れ図である。
【図９】本発明の第１の実施の形態に係る原稿の加熱消去処理およびジョブ割り込みの動作シーケンスを示すシーケンス図である。
【図１０】本発明の第２の実施の形態に係る割り込みジョブ実行処理のサブルーチンを示す流れ図である。
【図１１】本発明の第２の実施の形態に係る割り込みジョブ中断画面を示す図である。
【図１２】本発明の第２の実施の形態に係る案内画面を示す図である。
【符号の説明】
【０１４８】
１０…画像形成装置
１１…制御部
１２…読取部
１２ａ…ラインイメージセンサ
１３…通信部
１４…画像記憶部
１５…操作表示部
１６…プリンタ部
１７…加熱器管理部
２０…自動原稿搬送装置
２０ａ…底板
２１…原稿給紙トレイ
２２…搬送経路
２３…搬送機構
２４…加熱器
２５…熱源
２６…変位機構
２７…反転経路
２８…反転機構
２８ａ…経路切り替え部材
２９…原稿排紙トレイ
３０…スリット
３１…送り出しローラ
３２…搬送ローラ
３３…排出ローラ
３４…読取ローラ
４０…読取設定画面
４１…スキャン設定
４２…読込設定
４３…拡大縮小
４４…紙サイズ
４５…通常読込ボタン
４６…消去ボタン
４７…読込消去ボタン
５０…準備画面
５１…メッセージ
５２…割り込みジョブ実行ボタン
６０…読取設定画面
６１…割り込みジョブキャンセルボタン
７０…案内画面
７１…メッセージ
７２…イメージ図
７３…消去ボタン
８０…割り込みジョブ中断画面
８１…メッセージ
８２…割り込みジョブ中断ボタン
９０…案内画面
９１…メッセージ
９２…イメージ図
９３…消去ボタン
Ｈ…加熱位置
Ｍ…原稿
Ｓ…読取位置
【図１】
2010141674.tif 000003
【図２】
2010141674.tif 000004
【図３】
2010141674.tif 000005
【図４】
2010141674.tif 000006
【図５】
2010141674.tif 000007
【図６】
2010141674.tif 000008
【図７】
2010141674.tif 000009
【図８】
2010141674.tif 000010
【図９】
2010141674.tif 000011
【図１０】
2010141674.tif 000012
【図１１】
2010141674.tif 000013
【図１２】
2010141674.tif 000014